(57)【要約】  記録媒体に記録されるビデオデータについてのナビゲーション情報の構造並びにその構造を利用する記録／再生方法及び装置。主データストリームと当該主データストリームに関連する補助データストリームとが記録媒体に記録され、ＴＭＡＰ情報などのアクセス管理情報が記録されたデータストリームのそれぞれについて生成されて記録媒体に記録される。このアクセス管理情報は、関連するデータストリームが主データストリームなのか補助データストリームなのかを指し示す類型情報を有する。
2008525940.tif 000002
【特許請求の範囲】
【請求項１】
第１類型のデータストリームと、
前記第１類型のデータストリームに関連づけられる第２類型のデータストリームと、
前記第１類型のデータストリーム及び第２類型のデータストリームのそれぞれに対するアクセス管理情報と
を格納する記録媒体であって、
前記アクセス管理情報は、関連するデータストリームが第１類型のデータストリームなのか第２類型のデータストリームなのかを指し示す類型情報を含むことを特徴とする記録媒体。
【請求項２】
前記アクセス管理情報は、前記関連するデータストリームの開始位置についての情報として前記関連するデータストリームを有するファイル名を含むことを特徴とする請求項１に記載の記録媒体。
【請求項３】
前記アクセス管理情報は、前記関連するデータストリームの位置情報を含み、
前記類型情報が前記関連するデータストリームが第１類型のデータストリームであることを指し示す場合には、前記位置情報は、前記記録媒体に記録された全ての第１類型のデータストリームについての管理情報を格納するファイルの特定の位置から関連するデータストリームの開始位置までの距離に相当する値であることを特徴とする請求項１に記載の記録媒体。
【請求項４】
前記アクセス管理情報は、前記関連するデータストリームの位置情報を含み、
前記類型情報が前記関連するデータストリームが第２類型のデータストリームであることを指し示す場合には、前記位置情報は、前記関連するデータストリームの開始位置に対する絶対アドレスに相当する値であることを特徴とする請求項１に記載の記録媒体。
【請求項５】
前記第２類型のデータストリームについての属性情報がさらに記録されていることを特徴とする請求項１に記載の記録媒体。
【請求項６】
データを記録媒体に記録する方法であって、
（ａ）第１類型のデータストリームと前記第１類型のデータストリームに関連する第２類型のデータストリームとを前記記録媒体に記録するステップと、
（ｂ）前記第１類型のデータストリーム及び第２類型のデータストリームのそれぞれに対するアクセス管理情報を生成し、該生成されたアクセス管理情報を前記記録媒体に記録するステップと
含み、
前記アクセス管理情報は、関連するデータストリームが第１類型のデータストリームなのか第２類型のデータストリームなのかを指し示す類型情報を含むことを特徴とする方法。
【請求項７】
前記ステップ（ｂ）は、前記アクセス管理情報が、前記関連するデータストリームの開始位置についての情報として前記関連するデータストリームを有するファイル名を含むようにして前記アクセス管理情報を記録することを特徴とする請求項６に記載の記録方法。
【請求項８】
前記ステップ（ｂ）は、前記関連するデータストリームの位置情報を含むように前記アクセス管理情報記録し、前記類型情報が前記関連するデータストリームが第１類型のデータストリームであることを指し示す場合には、前記位置情報が、前記記録媒体に記録された全ての第１類型のデータストリームについての管理情報を格納するファイルの特定の位置から関連するデータストリームの開始位置までの距離に相当する値であることを特徴とする請求項６に記載の方法。
【請求項９】
前記ステップ（ｂ）は、前記関連するデータストリームの位置情報を含むように前記アクセス管理情報記録し、前記類型情報が前記関連するデータストリームが第２類型のデータストリームであることを指し示す場合には、前記位置情報が、前記関連するデータストリームの開始位置に対する絶対アドレスに相当する値であることを特徴とする請求項６に記載の方法。
【請求項１０】
前記第２類型のデータストリームについての属性情報を前記記録媒体に記録するステップをさらに含むことを特徴とする請求項６に記載の方法。
【請求項１１】
記録されたデータストリームを記録媒体から再生する方法であって、
（ａ）前記データストリームについてのアクセス管理情報を前記記録媒体から読み出すステップと、
（ｂ）前記読み出されたアクセス管理情報に含まれている類型情報に基づいて、前記データストリームが第１類型のデータストリームなのか、前記第１類型のデータストリームに関連する第２類型のデータストリームなのかを判定するステップと、
（ｃ）前記判定された類型に基づいて、前記データストリーム及び前記データストリーム上の情報を得るステップと
を含むことを特徴とする方法。
【請求項１２】
前記ステップ（ｃ）は、前記読み出されたアクセス管理情報に含まれている関連するデータストリームのファイル名に基づいて前記データストリームを特定することによって前記記録媒体から前記データストリームを読み出すことを特徴とする請求項１１に記載の方法。
【請求項１３】
前記判定された類型情報が第１類型のデータストリームである場合には、
前記ステップ（ｃ）は、前記記録媒体に記録された全ての第１類型のデータストリームについての管理情報を格納するファイルの特定の位置から、前記アクセス管理情報に含まれている、関連するデータストリームについての位置情報を指し示す値に相当する距離だけ離された位置から前記データストリームを読み出すことを特徴とする請求項１１に記載の方法。
【請求項１４】
前記判定された類型情報が第２類型のデータストリームである場合には、
前記ステップ（ｃ）は、前記アクセス管理情報に含まれている、関連するデータストリームについての位置情報を指し示す値に相当する位置から前記データストリームを読み出すことを特徴とする請求項１１に記載の方法。
【請求項１５】
前記判定された類型情報が第１類型のデータストリームである場合には、
前記ステップ（ｃ）は、前記記録媒体に記録された全ての第１類型のデータストリームについての管理情報に割り当てられる属性情報テーブルから前記データストリームについての属性情報を読み出して、前記読み出された属性情報を前記データストリームのデコードを制御する情報として用いることを特徴とする請求項１１に記載の方法。
【請求項１６】
前記判定された類型情報が第２類型のデータストリームである場合には、
前記ステップ（ｃ）は、前記アクセス管理情報に含まれる、または別個のファイルに格納される前記データストリームについての属性情報を読みだして、前記読み出された属性情報を前記データストリームのデコードを制御する情報として用いることを特徴とする請求項１１に記載の方法。
【請求項１７】
データストリームを記録媒体から再生する装置であって、
前記記録媒体に記録されたデータを再生する光再生手段を駆動するドライバと、
前記光再生手段により再生された前記データストリームをデコードするデコーダと、
前記ドライバを制御して前記光再生手段に前記データストリームのアクセス管理情報を読み出させて、前記アクセス管理情報に含まれる類型情報に基づいて、前記データストリームが第１類型のデータストリームなのか、第１類型のデータストリームと関連する第２類型のデータストリームなのかを判定して、前記判定された類型に基づいて、前記データストリーム及び前記データストリームについての情報を得るように前記ドライバを制御する制御器と
を含むことを特徴とする装置。
【請求項１８】
前記制御器は、前記アクセス管理情報に含まれる関連するデータストリームのファイル名に基づいて、前記ドライバを制御して前記記録媒体から前記データストリームを読み出すことを特徴とする請求項１７に記載の装置。
【請求項１９】
前記判定された類型情報が第１類型のデータストリームである場合には、
前記制御器は、前記記録媒体に記録された全ての第１類型のデータストリームについての管理情報を格納するファイルにおける特定の位置から、前記アクセス管理情報に含まれる関連するデータストリームの位置情報を指し示す値に相当する距離だけ離れた位置から前記データストリームを読み出すように前記ドライバを制御することを特徴とする請求項１７に記載の装置。
【請求項２０】
前記判定された類型情報が第２類型のデータストリームである場合には、
前記制御器は、前記アクセス管理情報に含まれる関連するデータストリームの位置情報を指し示す値に相当する位置から前記データストリームを読み出すように前記ドライバを制御することを特徴とする請求項１７に記載の再生装置。
【発明の詳細な説明】
【技術分野】
【０００１】
本発明は、主（primary）データストリーム及び補助（secondary）データストリームが記録された再生専用記録媒体についてのナビゲーション情報の構造とその構造を利用する記録／再生方法及び装置に関する。
【背景技術】
【０００２】
通常、ＤＶＤと呼ばれるＤＶＤ−ＲＯＭは、約４．７ＧＢの記録容量を有していて、映画などの高画質のデジタルコンテンツを届けるための記録媒体として使用されることが一般的である。
【０００３】
テレビ放送局は、現在のところ、アナログ方式の信号及びデジタル方式の信号の両方で配信をしているが、近い将来において、デジタル方式のＴＶ放送信号のみが利用可能になるだろう。デジタル方式のＴＶ放送信号は、その対応するアナログ方式のＴＶ放送信号よりも高い画質を提供する。視聴者は、ＤＶＤが提供する画質よりも高画質の映画を楽しみたいという欲求を持つのが自然である。
【０００４】
このような理由で、ＤＶＤよりもさらに記憶容量の高い再生専用ディスクが開発されている。より高い記憶容量のディスクは、高画質のコンテンツをさらに多様な方法で視聴者に提供することができる。例えば、より高い記憶容量のディスクは、一つのメインコンテンツとそのメインコンテンツに関連する付加的な映像コンテンツまたはオーディオコンテンツを同時に提供することができる。
【発明の開示】
【発明が解決しようとする課題】
【０００５】
付加的なデータストリームは、メイン映像を提供する主（primary）データストリームに対して、補助（secondary）データストリームということができる。この補助データストリームも主データストリームと同様に探索（search）と再生が実行可能であるので、補助データストリームのためのナビゲーションデータもまた必要である。しかし、補助データストリームのナビゲーションデータの構造と主データストリームのナビゲーションデータの構造とが大きい差を有する場合には、再生装置の動作プログラムであるファームウェアの最初の設計及びアップグレードのための設計が難しくなる。したがって、可能な限り主データストリームのナビゲーションデータの構造が、補助データストリームのナビゲーションデータの構造を収容することができるように設計されることが望ましい。
【課題を解決するための手段】
【０００６】
本発明の目的は、記録されている主データストリーム及び補助データストリームを有する記録媒体の再生を可能にするナビゲーションデータの構造を提供すること並びにその構造を利用する記録／再生方法及び装置を提供することである。
【０００７】
本発明は、主データストリームと該主データストリームに関連する補助データストリームとを前記記録媒体に記録し、主データストリーム及び補助データストリームのそれぞれについてのアクセス管理情報を生成し、生成したアクセス管理情報を記録媒体に記録する。このアクセス管理情報は、関連するデータストリームが主ストリームなのか補助ストリームなのかを指し示す類型情報を有する。
【０００８】
本発明による一実施形態では、アクセス管理情報は、関連するデータストリームについての位置を指し示す情報として、関連するデータストリームを有するファイル名を利用する。
【０００９】
本発明による他の一実施形態では、類型情報が関連するデータストリームが主データストリームであることを指し示す場合には、記録媒体に記録された全ての第１類型のデータストリームに対する管理情報を有するファイルの特定の記録位置（例えば、開始位置）から関連するデータストリームが始まる位置までの距離に該当する値が、関連するデータストリームについての位置を指し示す情報としてアクセス管理情報内に記録される。
【００１０】
本発明による他の一実施形態では、類型情報が関連するデータストリームが補助データストリームであることを指し示す場合には、関連するデータストリームの開始位置に対する絶対アドレスに相当する値が、関連するデータストリームに対する位置を分かるようにする情報としてアクセス管理情報内に記録される。
【００１１】
本発明による他の一実施形態では、補助データストリームについての属性情報が、当該データストリームについてのアクセス管理情報内または別個のファイル内に記録される。
【発明を実施するための最良の形態】
【００１２】
以下、本発明を完全に理解することができるために、望ましい実施形態を添付図面に基づいて詳細に説明する。
【００１３】
図１は、本発明に係るナビゲーションデータを有する再生専用光ディスクを製造するための装置のブロック図である。この装置は、レーザビーム（laser beam）を生成する半導体レーザ１０と、生成されたレーザビームを平行にする（collimate）コリメータ１１と、変調された入力信号（例えば、ＥＦＭ信号）のレベルによって、コリメータ１１からの平行ビームを透過し、または遮断する光変調器１３と、この光変調器１３からのビームをガラス基板に置かれる感光層（例えば、フォトレジスト）上に集光させる集光レンズ１４と、入力されるコンテンツデータを、例えばＭＰＥＧフォーマットでエンコードするエンコーダ２０と、このエンコードされたデータを記録用のＥＣＣ（Error Correction Code）ブロックデータにフォーマットするフォーマッター２１と、データを保存する大容量記録媒体２３（例えば、ハードディスクドライブ）と、この大容量記録媒体２３に対してデータを書き込み／読み出すディスク記録／再生部２２と、大容量記録媒体２３に記録されているデータをＥＦＭ信号などの二値信号（binary signal）に変調する信号変調器３１と、そして、ユーザの入力を処理して、記録されるコンテンツのためのナビゲーションデータを生成して、感光層上のレーザビームの照射を制御する記録制御器３０とを含む。
【００１４】
図１に示す装置を使用して再生専用ディスクを製造するためには、再生専用ディスクに記録されるコンテンツデータ及びそのコンテンツデータについてのナビゲーションデータを大容量記録媒体２３に先に書き込む必要がある。このように保存されたデータは、記録制御器３０の制御により読み出され、そして、信号変調器３１により二値信号に変調される。光変調器１３は、変調した信号のレベルによって平行レーザビームを透過または遮断させて、ガラス基板に置かれる感光層上に、当該変調された信号に対応するピット列（pit train）を形成する。記録制御器３０によって制御されると、集光レンズ１４は、ピット列が形成される間、徐々に外周に移動することによって、前記感光層には螺旋形トラックに沿ってピット列が形成される。このピット列は、大容量記録媒体２３に保存されたコンテンツデータ及びナビゲーションデータに相当するデータを表す。このピット列が形成された感光層を利用してスタンパー（stamper）を製作して、このスタンパーを用いて本発明に係るコンテンツデータ及びナビゲーションデータを格納する再生専用ディスクが制作される。
【００１５】
大容量記録媒体２３に記録されるコンテンツデータ及びナビゲーションデータが再生専用ディスクに直接マッピングされるので、大容量記録媒体２３のデータ構造は再生専用ディスクのデータ構造と同じである。本発明に係る大容量記録媒体２３にデータを書き込む方法について説明する。
【００１６】
入力される映像信号は、エンコーダ２０により特定のフォーマット（例えば、ＭＰＥＧ）でエンコードされ、フォーマッター２１によりＥＣＣブロックに変換され、ディスク記録／再生部２２によって大容量記録媒体２３に書き込まれる。他の装置によりあらかじめエンコードされたデータストリームが、他の記録媒体を介して提供されることも可能である（１０１）。
【００１７】
エンコーダ２０は、主（primary）データをＧＯＰにエンコードするが、各ＧＯＰは、先頭のＩピクチャー及び場合により多くのピクチャーを備える。記録制御器３０は、プレゼンテーション時間の長さが０．４〜１秒内になる一つまたは複数のＧＯＰを一つのナビゲーション単位に区画して、そのナビゲーション単位に対するナビゲーション情報を生成する。ナビゲーション単位の生成のために必要な情報は、エンコーダ２０から受信する。ナビゲーション単位はＥＶＯＢＵ（Enhanced Video Object Unit）と呼ばれ、記録された１タイトルに対応するデータ区間はＥＶＯＢ（Enhanced Video Object）と呼ばれる。生成されたナビゲーション単位のそれぞれの大きさ及びプレゼンテーション時間の長さについての情報は、ＴＭＡＰ（Time Map）情報として記録される。ＴＭＡＰ情報は、記録されたタイトルに対するアクセス管理情報であり、各ナビゲーション単位に対する情報以外にもＴＭＡＰ一般情報（ＴＭＡＰ＿ＧＩ）も含む。この一般情報は、図３に示したように、ＴＭＡＰ情報に関連するストリームの種類を示すＴＭＡＰカテゴリー情報フィールド（ＴＭＡＰ＿ｃａｔｅｇｏｒｙ）を有する。図３において、ＴＭＡＰカテゴリー情報フィールドは‘０’の値を有するが、このことは関連するデータストリームが主データストリームであることを意味する。
【００１８】
一方、各ナビゲーション単位は、２０４８バイトの大きさを有するセクターに整列されて、大容量記録媒体２３のデータ領域に記録される。各ナビゲーション単位が大容量記録媒体２３のデータ領域に記録されるということは、再生専用ディスク上にピット列として記録され、大容量記録媒体２３に記録されたデータが、再生専用ディスクにマッピングされることを意味する。
【００１９】
記録制御器３０は、一つまたは複数の主データストリーム（すなわち、ＥＶＯＢ）を記録した後、主データストリームのそれぞれについて生成されたＴＭＡＰ情報と必要な管理情報とを含むビデオタイトルセット情報（ＶＴＳＩ：Video Title Set Information）を生成して、一つのファイル（例えば、Ｖｉｄｅｏ＿ＴＳ．ｉｆｏ）にビデオタイトルセット情報（ＶＴＳＩ）を記録する。この時、ビデオタイトルセット情報（ＶＴＳＩ）を生成するために必要な情報が、記録制御器３０にあらかじめプログラムされたＧＵＩ（Graphical User Interface）基盤のメニューを介してユーザが入力することを要求される場合もある。
【００２０】
各ＥＶＯＢについて生成されたＴＭＡＰ情報は、対応するＥＶＯＢの開始位置についての情報を含む。記録されたＥＶＯＢのそれぞれが１つのファイルとして管理される場合には、開始位置の情報はそのファイル名になりうる。また、開始位置についての情報は、ビデオタイトルセット情報（ＶＴＳＩ）の特定の記録位置（例えば、ＶＴＳＩの開始位置）と対応するＥＶＯＢの開始位置との間の相対的な距離を示す値となることができる。この距離を示す値は、所定の大きさを有する各論理ブロック（ＬＢ：Logical Block）の数で表現されることができる。
【００２１】
また、ビデオタイトルセット情報（ＶＴＳＩ）は、各ＥＶＯＢに対する属性情報も含む。図４Ａで示されるように、この属性情報は、ビデオタイトルセット情報（ＶＴＳＩ）内に割り当てられているＥＶＯＢ属性テーブル４０１に含まれる。この属性情報は、図４Ｂに示すような構造を有し、ＥＶＯＢに属したデータストリームの再生に必須の情報（例えば、ＥＶＯＢ内のビデオ及びオーディオの属性、主オーディオストリームの数等の情報）を有する。この属性情報の各要素が有する特性については本発明と直接的な関連がないので、各要素に対する具体的な説明は省略する。
【００２２】
そして、主データストリームと同様に、主データストリームと関連した補助データストリームもナビゲーション単位に区画され、同様のやり方で大容量記録媒体２３のデータ領域に記録される。また、記録制御器３０は、その記録された補助データストリーム区間（Ｓ＿ＥＶＯＢ）に対する、アクセス管理情報であるＴＭＡＰ情報を生成して記録する。しかしながら、主データストリームに対して生成されたビデオタイトルセット情報（ＶＴＳＩ）は、記録された補助データストリーム区間（Ｓ＿ＥＶＯＢ）に対しては生成されない。
【００２３】
結果としていままで説明した方法により、図５に示すようなデータ構造が大容量記録媒体２３に記録される。図５の例において、３個のタイトル（ＥＶＯＢ＃１〜＃３）と、そのタイトルのそれぞれに関連するＴＭＡＰ５０１と、記録されたタイトルセットに対する一つのＶＴＳＩと、２個の補助タイトル（Ｓ＿ＥＶＯＢ＃１及びＳ＿ＥＶＯＢ＃２）と、その補助タイトルのそれぞれに関連するＴＭＡＰ５０２とが大容量記録媒体２３に記録されている。
【００２４】
補助データストリームのそれぞれに対して生成されたＴＭＡＰは、主データストリーム（すなわち、ＥＶＯＢ）のそれぞれに対して生成されたＴＭＡＰと同一の構造を有する。補助データストリームのそれぞれについて生成されたＴＭＡＰの一般情報（ＴＭＡＰ＿ＧＩ）は、図３に示したようにＴＭＡＰ＿ｃａｔｅｇｏｒｙフィールドを有しており、このフィールドには、例えば‘１’の値が記録される。
【００２５】
そして、記録された補助データストリームに対してはビデオタイトルセット情報（ＶＴＳＩ）は生成されないので、ＴＭＡＰ情報内に記録された補助データストリーム区間（Ｓ＿ＥＶＯＢ）の開始位置に対する情報は、ビデオタイトルセット情報（ＶＴＳＩ）の開始位置からの相対的な距離を示す値になることはない。代わりに、開始論理ブロックのアドレスなどの補助データストリームに対する絶対的な位置情報が記録される。各補助データストリーム（Ｓ＿ＥＶＯＢ）を一つのファイルに記録する場合には、開始位置に対するアドレスを記録する代わりに、その補助ストリーム（Ｓ＿ＥＶＯＢ）のファイル名をＴＭＡＰ情報内にＳ＿ＥＶＯＢの開始位置情報として記載することができる。
【００２６】
補助データストリームに対してはビデオタイトルセット情報（ＶＴＳＩ）を生成しないので、補助データストリーム（Ｓ＿ＥＶＯＢ）の再生に必要とされる属性情報は、関連したＴＭＡＰ情報内の追加フィールドに、または別個のファイルに記録される。この時、Ｓ＿ＥＶＯＢに対する属性情報は図４Ｂにおける符号４０２の印がつけられた属性情報グループを含まないが、これは補助データストリームがサブ−ピクチャー（sub-picture）についての属性情報を持つことを許されていないからである。
【００２７】
再生装置は、ＴＭＡＰ＿ｃａｔｅｇｏｒｙフィールドの情報を使用して、記録媒体に記録されているデータストリームについての属性情報を得るか否かを判断する。ＴＭＡＰ＿ｃａｔｅｇｏｒｙが‘０’の値であるならば、再生装置は、主データストリームである該当のデータストリームについての属性情報を、ビデオタイトルセット情報（ＶＴＳＩ）のＥＶＯＢ属性テーブルから得る。ＴＭＡＰ＿ｃａｔｅｇｏｒｙフィールドの値が‘１’ならば、再生装置は、補助データストリームである該当のデータストリームについての属性情報を、ＴＭＡＰ情報に追加されたフィールドまたは属性情報を格納する特定のファイルから得る。
【００２８】
コンテンツのデータストリーム（主データストリームと補助データストリーム）が全て記録された後に、ナビゲーション情報を記録することもできる。また、ナビゲーション情報は、管理情報が記録されるデータベース領域に記録され、コンテンツデータが記録された領域の前に位置付けられる。ナビゲーション情報がデータベース領域に記録されるということは、大容量記録媒体２３のデータベース領域が図６に示すような再生専用記録媒体のデータベース領域６０１にマッピングされることを意味する。
【００２９】
図５及び図６に示すようなデータ領域に格納されたコンテンツデータ並びに図４Ａ及び図４Ｂに示すようなデータベース領域に格納されたナビゲーション情報を有する再生専用記録媒体（例えば、ＨＤ−ＤＶＤ）を再生する方法について説明する。
【００３０】
図７は、本発明に係るデータ構造を有する再生専用記録媒体７１を再生する装置のブロック図である。データの再生要求がある場合に、再生制御器７０は、ドライバ７３を制御して、光ピックアップ７２が前述したデータ構造を再生できるようにする。まず、図３、図４Ａ、及び図４Ｂに示す情報を含むナビゲーション情報が記録されたデータの再生のためにメモリ７９にロードされる。ロードされたナビゲーション情報及びユーザインターフェース（例えば、再生装置の操作ボタン、再生装置遠隔制御装置）を介して受信したユーザ入力に基づいて、再生制御器７０は、再生専用記録媒体７１から記録されたタイトル（主データストリーム）を読み出すようにドライバ７３を制御する。ユーザ入力は、再生する記録タイトルを指定することができるが、この記録タイトルは、ナビゲーション情報により一つのＥＶＯＢとして管理されている。このようなユーザ入力は、再生制御器７０においてあらかじめプログラムされたＧＵＩ基盤のメニューを介して入力されることができる。再生制御器７０は、ユーザ入力とメモリ７９にロードされたナビゲーション情報を利用して指定されたタイトルの再生を制御する。この時、ロードされたナビゲーション情報、すなわちビデオタイトルセット情報（ＶＴＳＩ）内の指定されたタイトル（ＥＶＯＢ）についてのＴＭＡＰ情報に含まれるＴＭＡＰ＿ｃａｔｅｇｏｒｙフィールドが、タイトルが主データストリームであることを指し示している場合には、再生制御器７０は、ビデオタイトルセット情報（ＶＴＳＩ）に含まれているＥＶＯＢの属性情報を読み出し、その属性情報に基づいてＡ／Ｖデコーダ７６のオペレーションモードの設定を行う。また、再生制御器７０は、選択されたタイトルに対応するＴＭＡＰ情報に含まれるＥＶＯＢの開始位置についての情報（例えば、ファイル名、または論理ブロック単位で表されるＶＴＳＩの開始位置から離れた距離の値）に基づいて選択されたタイトルに対応するＥＶＯＢの開始位置からデータを再生するように光ピックアップ７２を制御する。
【００３１】
デフォーマッター（Deformatter）７４は、ドライバ７３及び光ピックアップ７２により再生されるデータストリームを受信し、エラー訂正動作を行った後にそのデータをデマルチプレクサ７５）に提供する。デマルチプレクサ７５は、入力されたデータストリームをオーディオデータ及びビデオデータに逆多重化する。Ａ／Ｖデコーダ７６は、主ビデオデータ及び主オーディオデータをデコードすることによって、本来のビデオ信号及びオーディオ信号を取り出す（retrieve）。再生するプロセスの間、デフォーマッター７４、デマルチプレクサ７５、及びＡ／Ｖデコーダ７６の動作は、再生制御器７０により監督される。Ａ／Ｖデコーダ７６は、主Ａ／Ｖデータ、補助ビデオデータ及び／または補助オーディオデータを同時にデコードするために複数の内部デコーダを具備する。
【００３２】
選択されたタイトル（ＥＶＯＢ）に関連した補助コンテンツ（Ｓ＿ＥＶＯＢ）があれば、補助コンテンツのデータストリームは、選択された主データストリームと共にデコードされる。補助コンテンツ（Ｓ＿ＥＶＯＢ）へのリンクは、補助コンテンツと関連したＴＭＡＰ情報を特定することによって得られる。これは様々な方法で行われることが可能である。補助データストリームのＴＭＡＰ情報へのリンク情報が選択されたタイトルについての管理情報に記録されることができ、ＴＭＡＰ情報へのリンク情報が、拡張子を除けばリンクされたＥＶＯＢのファイルと同じファイル名をＴＭＡＰ情報に与えることによって暗黙的に連結することができ、リンクされたＴＭＡＰファイルの名前がマークアップ言語（例えば、ｘｍｌ）で作成された別個のスクリプトファイルで特定することができ、またはユーザがＴＭＡＰファイルを特定することもできる。リンクされたＴＭＡＰファイルが別個のスクリプトファイルによって特定される場合には、再生制御器７０は、使用されるマークアップ言語の解析機能を具備する。
【００３３】
特定のＴＭＡＰ情報が指定されると、再生制御器７０は、ＴＭＡＰ情報に含まれているＴＭＡＰ＿ｃａｔｅｇｏｒｙフィールドを読み出す。ＴＭＡＰ＿ｃａｔｅｇｏｒｙフィールドが関連するストリームが補助データストリームであることを指し示していれば、再生制御器７０は、ＴＭＡＰ情報内の別個のフィールドに格納されている、または別個のファイルに格納されているＳ＿ＥＶＯＢの属性情報を読み出して、その属性情報に基づいてＡ／Ｖデコーダ７６の動作に必要な設定を行う。また、再生制御器７０は、光ピックアップ７２を制御して、特定されたＴＭＡＰ情報に含まれたＳ＿ＥＶＯＢ開始位置についての情報（例えば、ファイル名またはＳ＿ＥＶＯＢ開始位置のアドレス）に基づいて、補助コンテンツデータ（Ｓ＿ＥＶＯＢ）の開始位置から記録されたデータを再生する。
【００３４】
選択された主タイトル及びその補助コンテンツデータを記録媒体７１から同時に再生することはできない。再生制御器７０は、補助コンテンツについてのＴＭＡＰ情報に基づいて、Ｅ＿ＳＶＯＢのデータをメモリ７９に最初にロードする。Ｅ＿ＳＶＯＢのデータをロードすることが全て終われば、再生制御器７０は、選択された主タイトル（ＥＶＯＢ）のデータの再生を実行する。主タイトルのデータ再生が行われる間、再生制御器７０は、メモリ７９にロードされた補助データストリームをＡ／Ｖデコーダ７６に提供することによって、主タイトル及びその補助データストリームが共にデコードされる。
【００３５】
選択されたタイトルに関連する補助コンテンツデータを記録媒体７１からというよりは、ネットワークを介して任意のサーバ（図示せず）から得ることができる。この場合、図７に示す装置は、さらなる別個のネットワーク接続手段を有する。ネットワークを介してサーバから補助コンテンツデータを得る時は、そのコンテンツに対するデータストリームはもちろん、補助コンテンツデータ（Ｅ＿ＳＶＯＢ）についてのＴＭＡＰ情報もネットワークから得るようになる。
【００３６】
記録媒体７１を介して主データストリーム（ＥＶＯＢ）と共に提供されない補助コンテンツデータについてのＴＭＡＰ情報のＴＭＡＰ＿ｃａｔｅｇｏｒｙフィールドは、その事実を示す指し示す値、例えば、‘２’の値を有する。また、ネットワークを介して提供され、一時的にメモリ７９に格納される補助コンテンツデータについての開始位置の情報は、ＴＭＡＰ情報の開始位置からの距離に該当するバイト数で表すことができる。これは補助コンテンツデータ及びＴＭＡＰ情報が、ＴＭＡＰ情報が補助コンテンツデータよりも先に置かれる一つのファイルとして提供される場合のためである。もしも、ＴＭＡＰ情報とそれと関連した補助コンテンツデータがそれぞれ別個のファイルで提供される場合には、補助コンテンツデータのファイル名をＴＭＡＰ情報内の補助コンテンツデータの開始位置についての情報に記録することもできる。
【００３７】
したがって、ＴＭＡＰ情報内のＴＭＡＰ＿ｃａｔｅｇｏｒｙフィールドに、関連のデータストリームが記録媒体７１上に収録されていない補助コンテンツのデータストリームであることを示す値が記録されていれば、再生制御器７０は、補助コンテンツデータの開始位置の情報（例えば、ＴＭＡＰ情報の開始位置からのバイト数）に基づいて、一時メモリ（例えば、メモリ７９）から補助コンテンツデータをロードする。この場合、補助コンテンツデータの属性情報は、前述したような方法でＴＭＡＰ情報または別個に受信されたファイル内の情報から得られる。
【００３８】
本発明の少なくとも１つの実施形態は、主コンテンツデータのナビゲーション情報の構造が、その主コンテンツデータに関連する補助コンテンツデータのナビゲーション情報を収容できるという点において、再生装置を動作させるファームウェアの設計やアップグレードを容易にする。
【００３９】
本発明は、限られた数の実施形態に関して開示されてきたが、この開示された内容によって利益を受ける当業者は、数多くの発明の修正バージョンや変形バージョンを十分に理解するだろう。このような発明の修正バージョンや変形バージョンは、本発明の要旨及び範囲に含まれるということは意図されている。
【図面の簡単な説明】
【００４０】
【図１】本発明に係るナビゲーション情報を有する再生専用記録媒体を製造する装置のブロック図を示す図である。
【図２】ビデオデータをナビゲーション単位に区画することによって記録する処理の一例を示す図である。
【図３】ＴＭＡＰカテゴリーフィールドを含むビデオタイトルセットタイムマップ情報（ＶＴＳ＿ＴＭＡＰ）の階層的構造を示す図である。
【図４Ａ】主データストリーム（ＥＶＯＢ）のそれぞれの属性情報を記録する属性情報テーブルを含むビデオタイトルセット情報（ＶＴＳＩ）を示す図である。
【図４Ｂ】任意の主データストリームに対する属性情報の構造を示す図である。
【図５】主データストリーム、関連する補助データストリーム、及びこれらに対する管理情報が存在する記録媒体に記録されたデータの一例を示す図である。
【図６】再生専用ディスクに別個に記録されたデータストリーム及び管理情報を示す図である。
【図７】本発明に係るデータ構造を有する再生専用記録媒体を再生する装置のブロック図を示す図である。
【図１】
2008525940.tif 000003
【図２】
2008525940.tif 000004
【図３】
2008525940.tif 000005
【図４Ａ】
2008525940.tif 000006
【図４Ｂ】
2008525940.tif 000007
【図５】
2008525940.tif 000008
【図６】
2008525940.tif 000009
【図７】
2008525940.tif 000010
【国際調査報告】
2008525940.tif 000011
2008525940.tif 000012